(57)【特許請求の範囲】
【請求項１】
光出力が可変である照明負荷と、被照射面の照度を検出する照度センサと、照度センサの検出値が予め設定された目標値に略一致するように照明負荷の光出力を制御する制御部とを具備する複数台の照明装置を備え、制御部は、照度センサの検出値が目標値に略一致するように照明負荷の光出力を所定の第１の変化時間で徐々に変化させる通常モードと、照明負荷の光出力を設定しようとする目標値に少なくとも所定の維持時間だけ維持する調整モードと、照度センサの検出値が目標値に略一致するように照明負荷の光出力を第１の変化時間よりも短い第２の変化時間で変化させる調整補助モードとを有し、少なくとも隣接して配置された他の１乃至複数の照明装置の制御部が調整モードで動作しているときには調整補助モードで動作することを特徴とする照明制御システム。
【請求項２】
検知エリア内の人の存否を検出する人感センサを照明装置に設け、制御部は、人感センサが人の存在を検出しているときにだけ通常モードで動作することを特徴とする請求項１記載の照明制御システム。
【請求項３】
制御部は、隣接して配置された他の１乃至複数の照明装置の制御部が調整モードで動作しているときには、人感センサが人の存在を検出しているか否かに関わらず調整補助モードで動作することを特徴とする請求項２記載の照明制御システム。
【発明の詳細な説明】
【０００１】
【発明の属する技術分野】
本発明は、被照射面の照度を略一定に保つように照明負荷の光出力を制御する複数台の照明装置を備えた照明制御システムに関するものである。
【０００２】
【従来の技術】
本出願人は、被照射面の照度を略一定に保つように照明負荷の光出力を制御（フィードバック制御）する照明装置を既に提案している（特開平１０−２７０１７７号公報参照）。
【０００３】
上記公報に記載されている従来の照明装置Ｘ′は、図４に示すように照明負荷３の被照射面での反射光を照度センサ１で検出し、照度センサ１の検出出力を制御部２へ送信することで、照明負荷３の光出力を制御するものであり、照度設定切替ＳＷ８にて照度設定を切り替え、調整モード切替ＳＷ９にて通常モードと調整モードとを切り替え、調光範囲設定ＳＷ１０にて照明負荷３の調光範囲の上下限を調整するものである。また、照明負荷３の光出力（調光レベル）は図５に示す様に変化する。
【０００４】
次に、本従来例の動作を簡単に説明する。
【０００５】
先ず、照度設定切替ＳＷ８にて目標照度レベルを設定し、調整モード切替ＳＷ９にて通常モードか調整モードを確認する。通常モードでは、照度センサ１のサンプリング時間Ｔと照明負荷３の光出力の変化時間ｔとを長くし（図５参照）、人に気づかれない様に照明負荷３の光出力をゆっくりと変化させる。これにより、外来光などによる照度の急激な変化やイレギュラーな変化に対しては照明負荷３の光出力を追随させないようにしている。また調整モードでは、環境に応じて照明負荷３の光出力のレベルを調整し、所望の明るさが得られたときの照度センサ１の検出レベルを目標照度として記憶させるとともに、所望の照度を早く設定する為にサンプリング時間Ｔと変化時間ｔとを短くし、照明負荷３の光出力を早く変化させるようにしている。制御部２は、Ｔ秒間で照度センサ１の値をＮ回サンプリングして照度センサ１の平均値Ａを導き出し、照度センサ１の平均値Ａと目標とする照度設定に相当する照度センサ１の値Ｂ（以下、照度センサ１の目標値Ｂと呼ぶ。）とを比較する。照度センサ１の平均値Ａと照度センサ１の目標値Ｂとが同じであれば、設定された照度に達したと判断して照明負荷３の調光レベルは変化させない。照度センサ１の平均値Ａが照度センサ１の目標値Ｂよりも小さければ調光範囲の上限値を読み込み、照明負荷３の調光レベルが調光範囲の上限値よりも上でないなら、照明負荷３の調光レベルをｄ段（ｄ＝１、２、３・・）かけて徐々にアップする。照明負荷３の調光レベルが調光範囲の上限値よりも上なら、再度、照度センサ１の値のサンプリングを行う。一方、照度センサ１の平均値Ａが照度センサ１の目標値Ｂよりも大きければ、調光範囲の下限値を読み込み、照明負荷３の調光レベルが調光範囲の下限値よりも下でないなら、照明負荷３の調光レベルをｄ段（ｄ＝１、２、３・・）かけて徐々にダウンする。照明負荷３の調光レベルが調光範囲の下限値よりも下なら、再度、照度センサ１の値のサンプリングを行う。以上の様な動作を、照度センサ１の平均値Ａと照度センサ１の目標値Ｂとが同じになるまで繰り返し、被照射面における照度が目標照度となるように照明負荷３の光出力をフィードバック制御する。
【０００６】
したがって、上記従来の照明装置Ｘ′では、目標照度を設定するための調整モードにおいて照明負荷３の光出力を通常モードよりも早く変化させることにより、目標照度を設定してから実際の照明負荷３の光出力を確認できるまでの時間が短縮できるという利点があった。
【０００７】
【発明が解決しようとする課題】
ところで、上述のような照明装置Ｘ′を天井に複数台配設してオフィスなどのベース照明に使用する場合、図６に示すように隣り合う照明装置Ｘ′の配光Ｈ並びに照度センサ１の検出エリアＳが一部で重なるため、各照明装置Ｘ′の照度センサ１の平均値Ａが隣接する他の照明装置Ｘ′が具備する照明負荷３からの光出力の影響を受けることになる。
【０００８】
例えば、図７に示すように複数台の照明装置Ｘ′11〜Ｘ′34をほぼ均一にマトリクス状に配置したシステム構成において、全ての照明装置Ｘ′11〜Ｘ′34で照明負荷３を同じ光出力で点灯させると、他の照明装置Ｘ′11…との配光が重なる範囲が広い中央の照明装置Ｘ′22，Ｘ′23の周囲エリアＷ１の照度Ｄ１が最も高くなり、配光の重なる範囲が狭い周辺の照明装置Ｘ′11…の周囲エリアＷ２，Ｗ３の照度Ｄ２，Ｄ３が低くなる（Ｄ３＜Ｄ２＜Ｄ１）。また、このシステム構成において、全ての照明装置Ｘ′11〜Ｘ′34で照度センサ１の平均値Ａが目標値Ｂ（＝α）と一致するように照明負荷３の光出力をフィードバック制御すると、図８に示すように照明装置Ｘ′11〜Ｘ′34が配置されている範囲Ｗ４がほぼ一定の照度αとなり、その外側の範囲Ｗ５が若干低い照度β（＜α）となる。この場合、他の照明装置Ｘ′11…との配光が重なる範囲が広い照明装置（例えば、Ｘ′22，Ｘ′23）ほど、照明負荷３の光出力のレベルが低くなる。
【０００９】
ここで、上記システム構成において一部の範囲の目標照度を変更するために１台の照明装置（例えば、Ｘ′22）の目標値Ｂを変更する場合を考える。目標値Ｂを変更するために照明装置Ｘ′22を調整モードで動作させると、照明装置Ｘ′22が具備する照明負荷３の光出力は通常モード時よりも早く変化する。しかしながら、隣接する他の照明装置Ｘ′11…は通常モードで動作しているために目標値Ｂが変更されておらず、調整モードの照明装置Ｘ′22が具備する照明負荷３の光出力が変化した分だけ、他の照明装置Ｘ′11…では変更されていない目標値Ｂに一致させるようにゆっくりと自己の照明負荷３の光出力を変化させる。例えば、照明装置Ｘ′22における目標値Ｂが増大方向に変更された場合には、図９（ａ），（ｂ）に示すように照明装置Ｘ′22が具備する照明負荷３の光出力が増加し、これと隣接し通常モードで動作している照明装置Ｘ11…では照度センサ１の平均値Ａが自己の目標値Ｂよりも高くなるために照明負荷３の光出力を低下させるような制御が行われる。この結果、同図（ｃ）に示すように目標値Ｂが調整された照明装置Ｘ′22の周囲照度と、目標値Ｂが調整されなかった照明装置Ｘ′11…の周囲照度との均衡が崩れてしまうという問題があった。
【００１０】
また、検知エリア内の人の存否を検出する人感センサを上記照明装置Ｘ′11…に設け、人感センサで検知エリア内の人の存在が検出されているときには、上述のように照度センサ１の平均値Ａを目標値Ｂと一致させるフィードバック制御を行い、人感センサで検知エリア内の人の存在が検出されなくなれば、照明負荷３の光出力を低下（又は消灯）する制御を行う場合においても、一部の範囲の目標照度を変更する際に下記のような問題が生じる。
【００１１】
例えば、図１０（ａ）に示すように検知エリア内にいる人Ｈ１，Ｈ２が人感センサで検出されることで各照明装置Ｘ′1〜Ｘ′4の光出力が目標値Ｂに合わせてフィードバック制御されるようなシステム構成において、同図（ｂ）に示すように２台の照明装置Ｘ′3，Ｘ′4が人Ｈ１，Ｈ２の存在を検出して点灯し、他の照明装置Ｘ′1，Ｘ′2が消灯しているような状況下で、１台の照明装置Ｘ′3の目標値Ｂを変更した場合を考える。このような場合、照明装置Ｘ′3は隣の照明装置Ｘ′1，Ｘ′2が消灯している状態で目標値Ｂが設定されたため、検知エリア内に人Ｈ１が進入して照明装置Ｘ′2が照明負荷３を点灯させると、照明装置Ｘ′3においては照度センサ１の平均値Ａを変更された目標値Ｂに一致させるべく照明負荷３の光出力を低下させるようにフィードバック制御を行う。その結果、同図（ｃ）に示すように広い範囲における平均照度も低下することになり、また狭い範囲毎の照度差も大きくなるという問題があった。
【００１２】
本発明は上記問題に鑑みて為されたものであり、その目的とするところは、一部の照明装置で目標値の設定を行う場合に設定内容の確認が迅速に行えるとともに設定後の不具合の発生が防止できる照明制御システムを提供することにある。
【００１３】
【課題を解決するための手段】
請求項１の発明は、上記目的を達成するために、光出力が可変である照明負荷と、被照射面の照度を検出する照度センサと、照度センサの検出値が予め設定された目標値に略一致するように照明負荷の光出力を制御する制御部とを具備する複数台の照明装置を備え、制御部は、照度センサの検出値が目標値に略一致するように照明負荷の光出力を所定の第１の変化時間で徐々に変化させる通常モードと、照明負荷の光出力を設定しようとする目標値に少なくとも所定の維持時間だけ維持する調整モードと、照度センサの検出値が目標値に略一致するように照明負荷の光出力を第１の変化時間よりも短い第２の変化時間で変化させる調整補助モードとを有し、少なくとも隣接して配置された他の１乃至複数の照明装置の制御部が調整モードで動作しているときには調整補助モードで動作することを特徴とし、何れかの照明装置の制御部が調整モードで動作して目標値の設定が行われているときには、少なくとも隣接する他の１乃至複数の照明装置の制御部が調整補助モードで動作して照明負荷の光出力の変化を通常モード時よりも早くしているから、目標値の設定後における他の１乃至複数の照明装置の照明負荷による影響が調整時に迅速に確認できるとともに、設定後の不具合の発生が防止できる。
【００１４】
請求項２の発明は、請求項１の発明において、検知エリア内の人の存否を検出する人感センサを照明装置に設け、制御部は、人感センサが人の存在を検出しているときにだけ通常モードで動作することを特徴とし、請求項１の発明と同様の作用を奏する。
【００１５】
請求項３の発明は、請求項２の発明において、制御部は、隣接して配置された他の１乃至複数の照明装置の制御部が調整モードで動作しているときには、人感センサが人の存在を検出しているか否かに関わらず調整補助モードで動作することを特徴とし、請求項２の発明の作用に加えて、設定後の不具合の発生がさらに確実に防止できる。
【００１９】
【発明の実施の形態】
以下、図面を参照して本発明を実施形態により詳細に説明する。但し、従来の照明装置Ｘ′と共通の構成及び動作については同一の符号を付して説明を省略する。
【００２０】
本実施形態における照明装置Ｘ11…は、図１に示すように、被照射面の照度を検出する照度センサ１と、ＣＰＵを主構成要素とする制御部２と、光出力が可変である照明負荷３と、検知エリア内の人の存否を検出する人感センサ４と、従来例で説明した照度センサ１の平均値Ａや目標値Ｂ並びに保持時間（後述する）などの各種のデータを格納する記憶部５と、赤外線リモコン装置Ｒとの間で赤外線によるリモコン信号の送受信を行うリモコン信号送受信部６と、信号線Ｌｓを通して他の照明装置Ｘmnとの間でデータ通信を行う通信部７とを備え、照明空間の天井に配設されるものである。照度センサ１はＣｄＳのような光電変換素子を具備し、被照射面（例えば、床面や机上面など）の照度を検出する。人感センサ４は人体から放射される熱線を検知する焦電素子を具備し、人の動きに応じた熱線量の変化から検知エリア内の人の存否を検出する。但し、人感センサ４の構成はこれに限定する趣旨ではなく、他の方式、例えば超音波センサや振動センサを利用したものであっても良い。記憶部５はＥＥＰＲＯＭからなり、電源オフ時にも記憶内容が保持される。また、制御部２はＣＰＵで実行するプログラムに従って動作し、通常モード、調整モード並びに調整補助モードの３種類の動作モードを有する。
【００２１】
図２は本実施形態のシステム構成例を示しており、複数台の照明装置Ｘij（i=1,2,3,4、j=1,2,3,4,5,6）を照明空間にマトリクス状に配設し、この照明空間を各ゾーンＺ１〜Ｚ４に６台ずつの照明装置Ｘijが含まれる４つのゾーンＺ１〜Ｚ４に分割するとともに、全ての照明装置Ｘijを信号線（図示せず）により接続してある。なお、各照明装置Ｘijの記憶部５には、自己の固有アドレスとともに自己が属するゾーンＺ１〜Ｚ４の情報が格納されている。
【００２２】
上記システムにおける動作を説明する。例えば、ゾーンＺ１の照明装置Ｘ11が具備する人感センサ４で人の存在を検出すると、制御部２が人体検出情報（人の存在を検出したことを示す情報）を通信部７から信号線を通して同じゾーンＺ１内の他の照明装置Ｘ12，Ｘ13，Ｘ21〜Ｘ23に対して送信するとともに、照度センサ１の平均値Ａを目標値Ｂに略一致させるように照明負荷３の光出力をフィードバック制御する。また、上記他の照明装置Ｘ12…においては、通信部７で上記人体検出情報を受信すると、制御部２が照度センサ１の平均値Ａを目標値Ｂに略一致させるように照明負荷３の光出力をフィードバック制御する。また、ゾーンＺ１内の何れかの照明装置Ｘ11…が具備する人感センサ４で人の存在を検出している間は上記フィードバック制御が継続される。そして、ゾーンＺ１内の何れの照明装置Ｘ11…が具備する人感センサ４でも人の存在を検出しなくなれば、最後に人の存在を検出した照明装置（例えば、Ｘ21）の制御部２がその時点から所定の保持時間が経過した時に保持時間終了情報を通信部７から信号線を通して同じゾーンＺ１内の他の照明装置Ｘ11〜Ｘ13，Ｘ22，Ｘ23に対して送信するとともに、照明負荷３を低い調光レベルを経て消灯させるような制御を行う。また、上記他の照明装置Ｘ11…においても、通信部７で上記保持時間終了情報を受信すると、制御部２が照明負荷３を低い調光レベルを経て消灯させるような制御を行う。すなわち、ゾーンＺ１内に人が存在する間は比較的に高い調光レベルで照明負荷３がフィードバック制御され、ゾーンＺ１内に人が存在しなくなってから所定の保持時間の間は上記調光レベルによる点灯状態を保持し、保持時間経過後に照明負荷３を一定時間だけ低い調光レベルで点灯させてから消灯するというような動作（通常モードの動作）が行われる。
【００２３】
次に、他のゾーンＺ２〜Ｚ４には人が存在しない状況下でゾーンＺ１の照明装置Ｘ11…における目標値Ｂの設定を変更する場合の動作について説明する。
【００２４】
まず、赤外線リモコン装置ＲからゾーンＺ１内の何れかの照明装置Ｘ11…に赤外線によるリモコン信号で補助点灯命令を送信すると、この補助点灯命令を受信した照明装置（例えば、Ｘ21）では、制御部２が他の全ての照明装置Ｘijに対して補助点灯命令を通信部７から信号線を通して送信する。補助点灯命令を受信した全ての照明装置Ｘijにおいて、制御部２が所定の維持時間Ｔにおける動作モードを調整補助モードとし、人感センサ４の検出結果に関係なく照度センサ１の平均値Ａが目標値Ｂに略一致するように照明負荷の光出力を通常モードにおける変化時間ｔ１よりも短い変化時間ｔ２で変化させ、維持時間Ｔが経過したら通常モードに戻って高い調光レベルでの点灯状態を維持する。そして、ゾーンＺ１内の何れかの照明装置Ｘ11…に対して、赤外線リモコン装置Ｒを使って調光設定命令、調光アップ命令又は調光ダウン命令を送信する。例えば、照明装置Ｘ11が調光設定命令を受信すると、制御部２が同じゾーンＺ１の他の照明装置Ｘ12，Ｘ13，Ｘ21〜Ｘ23に対して同じ内容の調光設定命令を送信する。この調光設定命令を受信したゾーンＺ１内の全ての照明装置Ｘ11…の制御部２は、調光設定命令で指定された調光レベルで照明負荷３を所定の維持時間Ｔだけ点灯させる。また、照明装置Ｘ11が調光アップ命令を受信すると、制御部２が同じゾーンＺ１の他の照明装置Ｘ12，Ｘ13，Ｘ21〜Ｘ23に対して同じ内容の調光アップ命令を送信する。この調光アップ命令を受信したゾーンＺ１内の全ての照明装置Ｘ11…の制御部２は、通常モードにおける変化時間ｔ１よりも短い変化時間ｔ２で、受信時の調光レベルから段階的に照明負荷３の光出力をアップさせ、各段階でその調光レベルの点灯状態を所定の維持時間だけ維持する。一方、照明装置Ｘ11が調光ダウン命令を受信すると、制御部２が同じゾーンＺ１の他の照明装置Ｘ12，Ｘ13，Ｘ21〜Ｘ23に対して同じ内容の調光ダウン命令を送信する。この調光ダウン命令を受信したゾーンＺ１内の全ての照明装置Ｘ11…の制御部２は、通常モードにおける変化時間ｔ１よりも短い変化時間ｔ２で、受信時の調光レベルから段階的に照明負荷３の光出力をダウンさせ、各段階でその調光レベルの点灯状態を所定の維持時間だけ維持する。而して、調光設定命令、調光アップ命令又は調光ダウン命令を受け取ったときには、制御部２は照明負荷３の光出力を上記命令で指示された調光レベルに少なくとも維持時間Ｔだけ維持する動作モード（調整モード）で動作する。なお、維持時間Ｔ内に何れかのゾーンＺ１〜Ｚ４の照明装置Ｘmnにおいて再度リモコン信号送受信部６又は通信部７により補助点灯命令を受信するか、あるいは調光設定命令、調光アップ命令又は調光ダウン命令を受信すると、全てのゾーンＺ１〜Ｚ４の全ての照明装置Ｘmnの制御部２が維持時間Ｔのカウントをリトリガする。
【００２５】
そして、所望の照度となって調整が終了したら、赤外線リモコン装置ＲからゾーンＺ１内の何れかの照明装置Ｘ11…に赤外線によるリモコン信号で記憶命令を送信すると、この記憶命令を受信した照明装置（例えば、Ｘ11）では、制御部２が他の全てのゾーンＺ１〜Ｚ４の照明装置Ｘ12…Ｘ46に対して記憶命令を通信部７から信号線を通して送信する。この記憶命令を受信したゾーンＺ１内の照明装置Ｘ11…の制御部２では、その時点での照度センサ１の検出値を目標値Ｂとして記憶部５に格納した後、照明負荷３の光出力を下限値として記憶命令の受信確認を行ってから動作モードを通常モードに移行する。また、他のゾーンＺ２〜Ｚ４の照明装置Ｘ14の制御部２は、記憶命令を受信すると調光補助モードから通常モードに動作モードを移行する。なお、目標値Ｂの調整途中で設定変更動作を中止する場合には、赤外線リモコン装置ＲからゾーンＺ１内の何れかの照明装置Ｘ11…に赤外線によるリモコン信号で調整中止命令を送信すると、この調整中止命令を受信した照明装置（例えば、Ｘ11）では、制御部２が他の全てのゾーンＺ１〜Ｚ４の照明装置Ｘ12…Ｘ46に対して調整中止命令を通信部７から信号線を通して送信する。この調整中止命令を受信したゾーンＺ１内の照明装置Ｘ11…の制御部２では、照明負荷３の光出力をその時点のレベルのまま維持する。また、他のゾーンＺ２〜Ｚ４の照明装置Ｘ14の制御部２は、調整中止命令を受信すると調光補助モードを終了して同様に照明負荷３の光出力をその時点のレベルのまま維持する。
【００２６】
このように目標値Ｂを設定しようとするゾーンＺ１の各照明装置Ｘ11…を同時に調整モードで動作させるとともに、それ以外の他のゾーンＺ２〜Ｚ４の照明装置Ｘ14…を調整補助モードで動作させて照度センサ１で検出する被照射面の照度変化に対して照明負荷３の光出力を変化させる変化時間ｔ２を短く（変化速度を早く）しているので、目標値Ｂの設定後における他のゾーンＺ２〜Ｚ４の照明装置Ｘ14…の照明負荷３による影響が調整時に迅速に確認できるとともに、実際の使用時における照度に合わせて目標値Ｂを設定することができ、従来例のような設定後の不具合の発生が防止できる。
【００２７】
なお、上記維持時間Ｔは、目標値Ｂの調整途中で赤外線リモコン装置Ｒによる操作を終えてしまったときなどに制御部２の動作モードを調整モードや調整補助モードから通常モードに自動的に復帰させるために設けてあり、調整に要する時間程度に設定される。
【００２８】
ところで、本実施形態ではゾーンＺ１の照明装置Ｘ11…における目標値Ｂの設定を変更する場合に、他のゾーンＺ２〜Ｚ４の全ての照明装置Ｘ14…を調整補助モードで動作させるようにしているが、他のゾーンＺ２〜Ｚ４の照明装置Ｘ14…の中でゾーンＺ１に隣接する照明装置Ｘ14…だけを調整補助モードで動作させるようにしても良い。また、本実施形態では、補助点灯命令を受信したときに制御部２が通常モードから調整補助モードへ動作モードを変更させているが、システムの何れかの照明装置Ｘijで赤外線リモコン装置Ｒから調光設定命令、調光アップ命令又は調光ダウン命令を受信した場合に、他のゾーンＺ２〜Ｚ４の照明装置Ｘ14における制御部２の動作モードが調整補助モードへ移行するようにしても良い。さらに、本実施形態では制御部２が所定の維持時間Ｔが経過したら調整補助モードから通常モードに復帰するようにしているが、記憶命令又は調整中止命令を受信するまで調整補助モードで動作するようにしても良い。
【００２９】
また、本実施形態では各照明装置Ｘijに人感センサ４を備えたシステム構成を例示したが、人感センサ４を備えずに照度センサ１によるフィードバック制御のみを行うシステム構成においても、本実施形態で説明した動作とほぼ同様の動作を行って、目標値Ｂの設定後における他のゾーンＺ２〜Ｚ４の照明装置Ｘ14…の照明負荷３による影響が調整時に迅速に確認できるとともに、実際の使用時における照度に合わせて目標値Ｂを設定することができ、従来例のような設定後の不具合の発生が防止できる。なお、本実施形態では各ゾーンＺ１〜Ｚ４に複数台の照明装置Ｘijが属するシステム構成を例示したが、各照明装置Ｘij毎にゾーンＺijを構成するようにしても同様の効果を奏する。また、本実施形態では、複数台の照明装置Ｘijが信号線で接続されて互いに種々の情報を授受するようなシステム構成を例示したが、このような構成を備えていないシステム構成においても、赤外線リモコン装置Ｒを使って各照明装置Ｘijに対して個別に命令を送信することにしても良い。その際、図３に示すように、目標値Ｂの設定を変更しようとする照明装置Ｘ12に対して、赤外線リモコン装置Ｒからリモコン信号で調光設定命令などの調整命令が送信されるときに、隣接する他の照明装置Ｘ11，Ｘ13に対して同時に補助点灯命令が送信されるようにすることが望ましい。
【００３０】
ところで、本実施形態ではシステムを構成する全ての照明装置Ｘijが上記フィードバック制御を行っているが、このようなフィードバック制御を行わずに所定の一定レベルで照明負荷を点灯させるような照明装置がシステムに設けられていても良く、このような照明装置では補助点灯モード時にも上記一定レベルで照明負荷を点灯させる。この場合、補助点灯モード時の上記一定レベルは任意のレベル、例えば定格１００％の全点灯レベルなどでも良い。
【００３１】
また、制御部２の動作モードとして、調整補助モードの代わりに照度センサ１の検出結果と無関係に照明負荷３を所定レベルで点灯させるモード（非検出モード）を有するようにしても同様の効果を奏する。
【００３２】
【発明の効果】
請求項１の発明は、光出力が可変である照明負荷と、被照射面の照度を検出する照度センサと、照度センサの検出値が予め設定された目標値に略一致するように照明負荷の光出力を制御する制御部とを具備する複数台の照明装置を備え、制御部は、照度センサの検出値が目標値に略一致するように照明負荷の光出力を所定の第１の変化時間で徐々に変化させる通常モードと、照明負荷の光出力を設定しようとする目標値に少なくとも所定の維持時間だけ維持する調整モードと、照度センサの検出値が目標値に略一致するように照明負荷の光出力を第１の変化時間よりも短い第２の変化時間で変化させる調整補助モードとを有し、少なくとも隣接して配置された他の１乃至複数の照明装置の制御部が調整モードで動作しているときには調整補助モードで動作するので、何れかの照明装置の制御部が調整モードで動作して目標値の設定が行われているときには、少なくとも隣接する他の１乃至複数の照明装置の制御部が調整補助モードで動作して照明負荷の光出力の変化を通常モード時よりも早くしているから、目標値の設定後における他の１乃至複数の照明装置の照明負荷による影響が調整時に迅速に確認できるとともに、設定後の不具合の発生が防止できるという効果がある。
【００３３】
請求項２の発明は、検知エリア内の人の存否を検出する人感センサを照明装置に設け、制御部は、人感センサが人の存在を検出しているときにだけ通常モードで動作するので、請求項１の発明と同様の効果を奏する。
【００３４】
請求項３の発明は、制御部は、隣接して配置された他の１乃至複数の照明装置の制御部が調整モードで動作しているときには、人感センサが人の存在を検出しているか否かに関わらず調整補助モードで動作するので、請求項２の発明の効果に加えて、設定後の不具合の発生がさらに確実に防止できるという効果がある。
【図面の簡単な説明】
【図１】実施形態を示すブロック図である。
【図２】同上のシステム構成を示す平面図である。
【図３】同上の動作説明図である。
【図４】従来の照明装置を示すブロック図である。
【図５】同上の動作説明図である。
【図６】同上の動作説明図である。
【図７】同上の動作説明図である。
【図８】同上の動作説明図である。
【図９】同上の動作説明図である。
【図１０】同上の動作説明図である。
【符号の説明】
１  照度センサ
２  制御部
３  照明負荷
４  人感センサ
５  記憶部
６  リモコン信号送受信部
７  通信部
Ｘ  照明装置
【図１】
0003728978.tif 000002
【図２】
0003728978.tif 000003
【図３】
0003728978.tif 000004
【図４】
0003728978.tif 000005
【図５】
0003728978.tif 000006
【図６】
0003728978.tif 000007
【図７】
0003728978.tif 000008
【図８】
0003728978.tif 000009
【図９】
0003728978.tif 000010
【図１０】
0003728978.tif 000011